(57)【特許請求の範囲】
【請求項１】
戸体収納部の奥壁上部に一端を支持し他端を開口部上方に突出して固定したレールに、先端側戸体と後端側戸体を吊り、前記先端側戸体を前記後端側戸体の内部に収容可能として前記開口部を開閉する上吊式多重引戸であって、
前記レールは、前記後端側戸体の上部を前記開閉の方向に貫通して該後端側戸体の上フレームを上面で支持し、
前記先端側戸体は、前記レールの下部に吊られて支持されることを特徴とする上吊式多重引戸。
【請求項２】
請求項１記載の上吊式多重引戸であって、
前記後端側戸体は、前記上フレームの下面に設けられ前記上面を転動する複数のローラを介して前記レールに支持され、
前記先端側戸体は、該先端側戸体の上部に設けられ前記下部を転動する複数のローラを介して前記レールに支持されることを特徴とする上吊式多重引戸。
【請求項３】
請求項２記載の上吊式多重引戸であって、
前記後端側戸体の前記ローラが、前記上フレーム内に収容されて下端を前記下面から突出することを特徴とする上吊式多重引戸。
【請求項４】
請求項２または３記載の上吊式多重引戸であって、
前記レールは、
長手方向に直交する断面形状が四角筒形状となり上面に前記後端側戸体のローラ軌道部を有するレール本体部と、
該レール本体部の一方の側板部を下に延出させ水平下片に前記先端側戸体のローラ軌道部を有する断面Ｌ字形の下部と、
を具備することを特徴とする上吊式多重引戸。
【請求項５】
請求項２または３記載の上吊式多重引戸であって、
前記レールは、
長手方向に直交する断面形状が逆三角筒形状となり上面に前記後端側戸体のローラ軌道部を有するレール本体部と、
該レール本体部より下に延出させ水平下片に前記先端側戸体のローラ軌道部を有する断面Ｌ字形の下部と、
を具備することを特徴とする上吊式多重引戸。
【請求項６】
請求項２または３記載の上吊式多重引戸であって、
前記レールは、
水平な平板よりなり、上面に前記後端側戸体のローラ軌道部を有するレール本体部と、
該レール本体部の一側より下に延出させ、水平下片に前記先端側戸体のローラ軌道部を有する断面Ｌ字形の下部と、
を具備することを特徴とする上吊式多重引戸。
【発明の詳細な説明】
【技術分野】
【０００１】
本発明は、出入口等の開口部を少なくとも２つの戸体によって開閉する上吊式多重引戸に関する。
【背景技術】
【０００２】
少なくとも２つの戸体の内、戸先体を戸尻体の内部に収容可能な入れ子式として出入口等の開口部を開閉する多重引き式引戸装置が知られている（例えば特許文献１参照）。図７に示すように、この多重引き式引戸装置５００は、上枠部材５０１の内部に、第１扉体５０３の開閉移動を案内する第１ガイドレール５０５が配置される。
【０００３】
第１ガイドレール５０５の下側には、第２扉体５０７の開閉移動を案内する第２ガイドレール５０９が配置される。第１ガイドレール５０５には、第１扉体５０３の上部のブラケット５１１に取り付けられているローラ５１３が転動自在に載せられ、第１扉体５０３は、２個のローラ５１３と２個のブラケット５１１を介して第１ガイドレール５０５から吊り下げられた上吊り式の扉体となっている。第２ガイドレール５０９には、第２扉体５０７の上部のブラケット５１５に取り付けられているローラ５１７が転動自在に載せられ、第２扉体５０７は、２個のローラ５１７と２個のブラケット５１５を介して第２ガイドレール５０９から吊り下げられた上吊り式の扉体となっている。
【０００４】
入れ子式の第２扉体５０７は、扉体５０３，５０７が全閉としたときには、第１扉体５０３から略全体が突出する。また、第２扉体５０７は、出入口５１９を２つの扉体５０３，５０７が全開としたときには、第１扉体５０３の内部に略全体が収容されることになる。全開時には、第１扉体５０３は戸体収納部５２１の内部に収納されるため、第１扉体５０３の内部に収納される第２扉体５０７も戸体収納部５２１の内部に収納されることになる。
【先行技術文献】
【特許文献】
【０００５】
【特許文献１】特開２００８−２９１５２６号公報
【発明の概要】
【発明が解決しようとする課題】
【０００６】
しかしながら、従来の多重引き式引戸装置５００は、第１扉体５０３と第２扉体５０７を吊るレールを別々に分けて、２本の第１ガイドレール５０５と第２ガイドレール５０９とで吊る構造を採用していた。この構造では、２本のレールを上下に配置しなければならないため、無目部分の高さが大きくなった。また、戸体収納部５２１内から出入口５１９にわたる長さのレールを２本必要とすることから部品点数が多くなり、その組み付け工程が多く、またアルミ材の使用量が多くなる傾向にあった。
【０００７】
本発明は上記状況に鑑みてなされたもので、その目的は、無目の高さを低くでき、且つ部品点数を減らし施工工程数を削減して、またアルミ材の使用量を減らすことのできる上吊式多重引戸を提供することにある。
【課題を解決するための手段】
【０００８】
次に、上記の課題を解決するための手段を、実施の形態に対応する図面を参照して説明する。
本発明の請求項１記載の上吊式多重引戸は、戸体収納部１５の奥壁３７上部に一端３９を支持し他端４１を開口部１３上方、例えば無目２２内に突出して固定したレール３５に、先端側戸体２７と後端側戸体２５を吊り、前記先端側戸体２７を前記後端側戸体２５の内部８７に収容可能として前記開口部１３を開閉する上吊式多重引戸１００であって、
前記レール３５は、前記後端側戸体２５の上部４３を前記開閉の方向に貫通して該後端側戸体２５の上フレーム４５を上面４７で支持し、
前記先端側戸体２７は、前記レール３５の下部４９に吊られて支持されることを特徴とする。
【０００９】
この上吊式多重引戸では、レール３５の上面４７で後端側戸体２５が支持され、レール３５の下部４９で先端側戸体２７が支持され、後端側戸体２５と先端側戸体２７が１本のレール３５で支持される。
【００１０】
請求項２記載の上吊式多重引戸は、請求項１記載の上吊式多重引戸であって、
前記後端側戸体２５は、前記上フレーム４５の下面４５ａに設けられ前記上面４７を転動する複数のローラ５３を介して前記レール３５に支持され、
前記先端側戸体２７は、該先端側戸体２７の上部５５に設けられ前記下部４９を転動する複数のローラ５９を介して前記レール３５に支持されることを特徴とする。
【００１１】
この上吊式多重引戸では、後端側戸体２５の上フレーム４５の下面４５ａに設けられたローラ５３が後端側戸板２５を貫通するレール３５の上面４７に載置され、先端側戸体２７の上部５５に設けられたローラ５９がレール３５の下部４９に掛止される。後端側戸体２５のローラ５３がレール３５の上面４７を転動して後端側戸体２５を支持し、先端側戸体２７のローラ５９がレール３５の下部４９を転動して先端側戸体２７を支持する。
【００１２】
請求項３記載の上吊式多重引戸は、請求項２記載の上吊式多重引戸であって、
前記後端側戸体２５の前記ローラ５３が、前記上フレーム４５内に収容されて下端を前記下面４５ａから突出することを特徴とする。
【００１３】
この上吊式多重引戸では、上フレーム４５の下面４５ａから突出して取り付けられるローラ５３が、上フレーム４５の内部に引き込まれて配置され、ローラ高さの大部分が上フレーム高さ内に吸収される。
【００１４】
請求項４記載の上吊式多重引戸は、請求項２または３記載の上吊式多重引戸であって、
前記レール３５は、
長手方向に直交する断面形状が四角筒形状となり上面４７に前記後端側戸体２５のローラ軌道部７１を有するレール本体部７３と、
該レール本体部７３の一方の側板部を下に延出させ水平下片７５に前記先端側戸体２７のローラ軌道部７７を有する断面Ｌ字形の下部４９と、
を具備することを特徴とする。
【００１５】
この上吊式多重引戸では、後端側戸体２５がレール本体部７３に支持され、先端側戸体２７が下部４９に支持される。四角筒形状のレール本体部７３と断面Ｌ字形の下部４９とは一体に形成される。
【００１６】
請求項５記載の上吊式多重引戸は、請求項２または３記載の上吊式多重引戸であって、
前記レールは、
長手方向に直交する断面形状が逆三角筒形状となり上面に前記後端側戸体２５のローラ軌道部７１を有するレール本体部７３と、
該レール本体部７３Ａの一方の側板部を下に延出させ水平下片に前記先端側戸体２７のローラ軌道部を有する断面Ｌ字形の下部４９と、
を具備することを特徴とする。
【００１７】
この上吊式多重引戸では、レール本体部７３Ａが逆三角筒形状に形成され、四角筒形状に比べ一辺少なく形成される。
【００１８】
請求項６記載の上吊式多重引戸は、請求項２または３記載の上吊式多重引戸であって、
前記レールは、
水平な平板９１よりなり、上面に前記後端側戸板のローラ軌道部を７１を有するレール本体部７３Ｂと、
該レール本体部７３Ｂの一方の側板部を下に延出させ水平下片に前記先端側戸体２７のローラ軌道部を有する断面Ｌ字形の下部４９と、
を具備することを特徴とする。
【００１９】
この上吊式多重引戸では、レール本体部７３Ｂが平板９１で形成され、四角筒形状や逆三角筒形状の筒形状に形成せずに済む。
【発明の効果】
【００２０】
本発明に係る請求項１記載の上吊式多重引戸によれば、レールは、後端側戸体の上部を貫通して後端側戸体の上フレームを上面で支持し、先端側戸体は、レールの下部に吊られて支持されるので、レールが１本となり、レールが戸体のそれぞれに必要であった従来構造に比べ、無目の高さを低くでき、部品点数を削減できるとともに、アルミ材の使用量を減らすことができる。
【００２１】
請求項２記載の上吊式多重引戸によれば、後端側戸体は、上フレームの下面に設けられるローラを介してレールに支持され、先端側戸体は、上部に設けられるローラを介してレールに支持されるので、後端側戸体のローラがレールの上面を転動して後端側戸体を支持し、先端側戸体のローラがレールの下部を転動して先端側戸体を支持し、先端側戸体及び後端側戸体を低摩擦で移動自在にレールに支持することができる。
【００２２】
請求項３記載の上吊式多重引戸によれば、後端側戸体のローラが、上フレーム内に収容されるので、ローラ高さの大部分が上フレーム高さ内に吸収され、ローラを収容する分、後端側戸体をレールに対して低く吊ることができる。このことから、無目の高さをさらに低く構成できる。
【００２３】
請求項４記載の上吊式多重引戸によれば、レールは、四角筒形状のレール本体部と、レール本体部の側板部を下に延出させ水平下片に先端側戸体のローラ軌道部を有する断面Ｌ字形の下部と、を具備するので、四角筒形状のレール本体部と断面Ｌ字形の下部を一体に形成することで、レールの支持強度を大きくすることができる。
【００２４】
請求項５記載の上吊式多重引戸によれば、レール本体部の断面形状が、逆三角筒形状であるので、四角筒形状に比べ一辺を少なく形成でき、剛性を保ちながらレール本体部のアルミ材料使用量を、四角筒形状に比べ少なくすることができる。
【００２５】
請求項６記載の上吊式多重引戸によれば、レール本体部が、平板であるので、筒状に形成せずに済み、レール本体部のアルミ材料使用量を、逆三角筒形状に比べさらに少なくすることができる。
【図面の簡単な説明】
【００２６】
【図１】本発明に係る上吊式多重引戸の正面図である。
【図２】図１のＡ−Ａ断面図である。
【図３】図１に示した上吊式多重引戸の点検カバーを取り外して示した正面図である。
【図４】図３のＢ−Ｂ断面図である。
【図５】後端側戸体のローラが上フレームに収容される変形例に係る断面図である。
【図６】（ａ）はレール本体部を逆三角筒形状とした変形例に係る断面図、（ｂ）はレール本体部を平板とした変形例に係る断面図である。
【図７】従来の多重引き式引戸装置を、点検カバーを取り外して示した正面図である。
【発明を実施するための形態】
【００２７】
以下、本発明の実施の形態を図面を参照して説明する。
図１は本発明に係る上吊式多重引戸の正面図である。
上吊式多重引戸１００は、例えば建物躯体１１に形成された開口部１３と、開口部１３の片側または両側に設けられた戸体収納部１５に渡って取り付けられる。開口部１３は、上部が機構部１９（図２参照）の収容スペースとなり、ケースカバー２１によって覆われる。このケースカバー２１の部分が所謂無目２２となる。上吊式多重引戸１００は、低速移動する後端側戸体２５と、高速移動する先端側戸体２７とを有する。先端側戸体２７の戸先２９には把手３１が取り付けられる。
【００２８】
先端側戸体２７は、後端側戸体２５の内部に収容可能となる。開口部１３を閉める際には把手３１を持って先端側戸体２７を図１の左方に移動する。先端側戸体２７は、戸体収納部１５から引き出される後端側戸体２５からさらに引き出される。完全閉止された先端側戸体２７は、戸先２９を縦枠２３に衝接して停止する。
【００２９】
図２は図１のＡ−Ａ断面図、図３は図１に示した上吊式多重引戸の点検カバーを取り外して示した正面図、図４は図３のＢ−Ｂ断面図である。
図２に示すように、後端側戸体２５と先端側戸体２７は、１本のレール３５に吊られる。レール３５は、図３に示すように、戸体収納部１５の奥壁３７の上部に一端３９を支持し他端４１を開口部１３の上方の無目２２内に突出して固定される。レール３５は、後端側戸体２５の上部４３を開閉の方向に貫通して、後端側戸体２５の上フレーム４５を上面４７（図２参照）で支持する。先端側戸体２７は、レール３５の下部４９に吊られて支持される。すなわち、レール３５は、後端側戸板２５の上フレーム４５と、先端側戸板２７との間に位置する。
【００３０】
後端側戸体２５は、上フレーム４５の下面４５ａに、一対のブラケット５１を介してローラ５３を回動自在に取り付けている。後端側戸体２５は、レール３５の上面４７を転動する複数のローラ５３を介してレール３５に支持される。先端側戸体２７は、上部５５に、一対のブラケット５７を介してローラ５９を回動自在に取り付けている。先端側戸体２７は、レール３５の下部４９を転動する複数のローラ５９を介してレール３５に支持されている。
【００３１】
このように、後端側戸体２５のローラ５３がレール３５の上面４７を転動して後端側戸体２５を支持し、先端側戸体２７のローラ５９がレール３５の下部４９を転動して先端側戸体２７を支持するので、後端側戸体２５及び先端側戸体２７を低摩擦で移動自在にレール３５に支持することができる。なお、レール３５は、先端側戸板２７および後端側戸板２５と同一芯上に設置されることが好ましい。
【００３２】
先端側戸体２７の下面には、下向きに開口した凹部６１が形成され、先端側戸体２７の移動方向に連続している。この凹部６１には、床６３に立設された支柱６５に水平回転自在に取り付けられた図２，図４に示すガイドローラ６７が配置されている。ガイドローラ６７は、先端側戸体２７の下端６９を案内する。
【００３３】
本実施の形態において、レール３５は、長手方向に直交する断面形状が、図２に示す四角筒形状となり、上面４７に後端側戸体２５のローラ軌道部７１を有するレール本体部７３と、このレール本体部７３の一方の側板部を下に延出させ水平下片７５に先端側戸体２７のローラ軌道部７７を有する断面Ｌ字形の下部４９と、を一体に備えてなる。ローラ軌道部７１，７７は、レール３５の長手方向に沿って延在する例えば凸条とすることができる。また、レール３５の幅寸法は、各戸体の厚さよりも小さく設定される。
【００３４】
このように、レール３５は後端側戸体２５がレール本体部７３に支持され、先端側戸体２７が下部４９に支持される。四角筒形状のレール本体部７３と断面Ｌ字形の下部４９とは一体に形成される。これにより、レール３５の支持強度が大きく確保されている。
【００３５】
レール３５は、戸体収納部１５を解体せずに交換が可能となっている。すなわち、戸体収納部１５の奥壁３７には挿入部材７９と挟持部材８１が固定されている。挿入部材７９は、レール３５のレール本体部７３に挿入される。挟持部材８１は、レール３５の下部４９の端縁を挟持する。一方、無目２２には躯体１１にネジ穴を有した固定板８３が溶接８４により固定されている。これにより、レール３５は、開口部１３側から戸体収納部１５に一端３９を差し入れ、レール本体部７３と下部４９を挿入部材７９と挟持部材８１に支持した後、開口部１３にて固定板８３に他端４１をネジ８５にて固定することで、戸体収納部１５を解体せずに取り付けできるようになっている。
【００３６】
上吊式多重引戸１００は、後端側戸体２５と先端側戸体２７を連結していて、これらを同一方向へ開閉移動させるための連動機構（図示せず）を備えている。連動機構は、開口部１３を閉じた全閉位置に達している状態で、先端側戸体２７の把手３１を把持した手によって先端側戸体２７を開き移動させると、この先端側戸体２７の開き移動が後端側戸体２５に伝達され、後端側戸体２５も開き移動するよう構成されている。この際、後端側戸体２５は、先端側戸体２７の半分の速度で開き移動する。したがって、後端側戸体２５は低速戸体となり、先端側戸体２７は高速戸体となる。
【００３７】
次に、上記構成を有する上吊式多重引戸１００の作用を説明する。
上吊式多重引戸１００では、開口部１３を全閉すると、図４示すように、入れ子式の先端側戸体２７が後端側戸体２５から略全体が突出する。一方、開口部１３を全開としたときには、後端側戸体２５の内部８７に略全体が侵入することになる。この全開時に、後端側戸体２５は戸体収納部１５の内部に収納されるため、後端側戸体２５の内部８７に収納される先端側戸体２７の略全体も、この全開時には戸体収納部１５の内部に収納されることになる。
【００３８】
上吊式多重引戸１００では、これら後端側戸体２５及び先端側戸体２７の移動が、レール３５の上面４７で後端側戸体２５を支持し、レール３５の下部４９で先端側戸体２７を支持して行われる。すなわち、後端側戸体２５と先端側戸体２７が１本のレール３５で支持されることになる。
【００３９】
したがって、本実施の形態に係る上吊式多重引戸１００によれば、レール３５は、後端側戸体２５の上部４３を貫通して後端側戸体２５の上フレーム４５を上面４７で支持し、先端側戸体２７は、レール３５の下部４９に吊られて支持されるので、レール３５が１本となり、レール３５が各戸体のそれぞれに必要であった従来構造に比べ、無目２２の高さを低くでき、すなわち、上吊式多重引戸１００の全体構成として上縁側の構造部分を小さく構成でき、このことから開口部１３の高さ寸法を大きく採ることが可能となる。さらに、レール３５が１本のみの構成であることから、部品点数が削減でき、その素材であるアルミ材の使用量を減らすことができる。
【００４０】
また、部品点数が少なくなるので、組み付け作業を簡素化することができる。
さらに、従来高さの無目２２で上述のレール３５が１本の構造を採用する場合には、この無目２２内に新たなスペースを確保することができ、すなわち引戸構造の上端と無目部分の天井との間にリニア式駆動装置などの開閉駆動機構、電動開閉装置を新たに組み付けることもできる。
【００４１】
次に、上記上吊式多重引戸１００の変形例を説明する。
図５は後端側戸体のローラが上フレームに収容される変形例に係る断面図である。
この変形例では、後端側戸体２５のローラ５３が、上フレーム４５内に収容配置されて下端を下面４５ａから突出する。上フレーム４５の下面４５ａから突出して取り付けられるローラ５３が、上フレーム４５の内部に引き込まれ、すなわちローラ５３の支軸を上フレーム４５内に位置するようブラケットを構成して配置され、ローラ高さの大部分が上フレーム４５の高さ内に吸収される。これにより、ローラ５３を収容する分、後端側戸体２５をレール３５に対して低く吊ることができる。また、このことから、無目２２の高さ寸法を抑えることが可能となる。
【００４２】
図６（ａ）はレール本体部を逆三角筒形状とした変形例に係る断面図、（ｂ）はレール本体部を平板とした変形例に係る断面図である。
図６（ａ）に示すレール本体部７３Ａは、断面形状が、逆三角筒形状に形成される。レール本体部７３Ａが逆三角筒形状に形成され、四角筒形状に比べ一辺少なく形成される。これにより、レールの剛性を保ちながらレール本体部７３Ａのアルミ材料使用量を、四角筒形状に比べ少なくすることができる。
【００４３】
図６（ｂ）に示すレール本体部７３Ｂは、平板９１で形成される。レール本体部７３Ｂが平板９１で形成され、四角筒形状や逆三角筒形状の筒形状に形成せずに済む。これにより、レールを大幅に軽量化でき、作業性の向上を得られ、レール本体部７３Ｂのアルミ材料使用量を、逆三角筒形状に比べさらに少なくすることができる。
【符号の説明】
【００４４】
１３…開口部
１５…戸体収納部
２２…無目
２５…後端側戸体
２７…先端側戸体
３５…レール
３７…奥壁
３９…一端
４１…他端
４３…後端側戸体の上部
４５…上フレーム
４５ａ…上フレームの下面
４７…上面
４９…レールの下部
５３…ローラ
５５…先端側戸体の上部
５９…ローラ
７１…後端側戸体のローラ軌道部
７３…レール本体部
７５…水平下片
７７…先端側戸体のローラ軌道部
８７…後端側戸体の内部
９１…平板
１００…上吊式多重引戸
【図１】
0005390361.tif 000002
【図２】
0005390361.tif 000003
【図３】
0005390361.tif 000004
【図４】
0005390361.tif 000005
【図５】
0005390361.tif 000006
【図６】
0005390361.tif 000007
【図７】
0005390361.tif 000008